(57)【特許請求の範囲】
【請求項１】
１つの画像ファイルに一枚の画像を表す画像データを記録する電子情報記録手段の１以上の画像ファイルのそれぞれに宛てた、それぞれが１組以上のプリント指示情報を含む各プリント指示情報セットを併記した１次注文ファイルを生成する手段；および、
１次注文ファイルのプリント指示情報セットの中の各組のプリント指示情報をそれが宛てられる画像ファイル識別情報と共に組別区分にした２次注文ファイルを生成する手段；
を備える画像情報処理装置。
【請求項２】
請求項１に記載の１次又は２次注文ファイルの指示情報に基づいて、前記画像ファイルの画像形成をする画像形成手段、を備える画像形成装置。
【請求項３】
１つの画像ファイルに一枚の画像を表す画像データを記録する電子情報記録手段の１以上の画像ファイルのそれぞれに宛てた、それぞれが１組以上のプリント指示情報を含む各プリント指示情報セットを併記した１次注文ファイルを生成する手段を備える画像情報処理装置の、該１次注文ファイルのプリント指示情報セットの中の各組のプリント指示情報をそれが宛てられる画像ファイル識別情報と共に組別区分にした２次注文ファイルを生成する手段を備える画像形成装置。
【請求項４】
前記画像形成装置は、プリントアウトシートを区分けする手段、および、プリント指示情報セットの各組のプリント指示情報に各区分けを割り当てて該区分け手段を用いてプリントアウトシートを区分け送出する制御手段、を備える請求項２又は３に記載の画像形成装置。
【請求項５】
ソータが接続されているときには、１次注文ファイルの画像ファイル識別情報の配列順に、画像ファイル毎にプリントアウトし、ソータが無いときには、２次注文ファイルのプリント指示情報の組順にプリントアウトする、請求項２又は３に記載の画像形成装置。
【請求項６】
２次注文ファイルが無いときには、１次注文ファイルに基づいて２次注文ファイルを生成する請求項５に記載の画像形成装置。
【発明の詳細な説明】
【０００１】
【発明の属する技術分野】
本発明は、各画像を表す各画像データを各画像ファイルとして記録するメモリの、各画像ファイルの画像をプリントアウトするためのプリント指示情報を生成して、画像データと共に他に伝達する画像処理装置および該画像データが表す画像をプリント指示情報に従って形成する画像形成装置に関する。該画像処理装置には、例えばデジタルカメラ，画像スキャナ、或いは、それらの画像データを受けてプリント用に処理または編集するか、別途生成又は受信した画像データをプリント用に処理または編集するコンピュータがある。画像形成装置には、プリンタ又は複写装置がある。本発明のもっとも代表的な実施形態は、撮影により取得したデジタル画像データのプリント枚数が設定可能であるデジタルカメラ、および、その撮影画像をプリントアウトするデジタルプリントシステムである。
【０００２】
【従来技術】
デジタルカメラ等で撮影して得たデジタル画像情報をカラープリンタなどによってプリントすることが近年行われている。また、このデジタル画像情報を基にして高価な装置を用いて処理しプリントして高画質なプリントを作成するサービスも提案されている。
【０００３】
その際、プリントの注文を簡易にするために、たとえば注文する内容を店頭で作成する場合に要する時間をなくすために、撮影したデジタル画像情報をコンピュータなどに入力し、画像ごとに注文データを生成して注文ファイルを生成し、デジタル画像情報を記録しているメディア例えばメモリカードまたはデジタルカメラの内部メモリに注文ファイルを書き込んで、メディア（例えばメモリカードまたはデジタルカメラ）をプリントサービス店（ＤＰ受付店）に持って行くことが提案されている。しかし、現像を依頼する際と受け取る際の２度にわたってプリントサービス店に出向く必要があるため、面倒である。
【０００４】
これを解決するために特開平１０−７８６１８号公報に記載のデジタルプリントの発注納品方法及びシステムにおいては、デジタル画像データをパソコン上で画像処理し、画像処理した画像データに対するプリント注文データを入力する。パソコンによりプリント仕上げ業者のデータベースに接続し、画像データ及びプリント注文データを受付用ワークステーションにデータ転送する。プリント仕上げ業者はプリント注文データに基づきプリンタを選択し、注文サイズに応じて注文枚数分をプリントする。プリント注文データに基づき納品方法が選択され、この選択された納品方法によりユーザにプリントが渡される。プリント注文データに基づきプリント及び納品を自動化することができ、プリントを効率よく行うことが出来る。
【０００５】
上述した発明においては、ユーザは画像データを一旦パソコンに取り込んで注文用のアプリケーションソフト等を起動し、注文ファイルを作成する必要がある。これに対し、パソコンを所有しないユーザでも手軽に注文が行えるように、例えば、特開平１１−１５０６７２号公報および特開平１１−１５０６７３号公報には、デジタルカメラの一機能として注文処理機能をつける発明が提案されている。また、特開平１１−１４６３０８号公報にはデジタルカメラからユーザが入力したプリント指示に関する指示情報を、画像ファイルのタグ領域と、画像ファイルとは別に作成された注文ファイルの２種類のファイルに効率よく格納する発明が提案されている。
【０００６】
例えば、従来のプリント注文機能付きデジタルカメラと画像プリントシステムの処理フローを図１５に示す。液晶画面を備えたデジタルカメラＤＣｐで撮影した画像データを液晶画面に表示し、ボタンなどによりプリント枚数を入力する。入力されたプリント枚数などの注文情報は、画像データのタグに記述されるか、または画像データとは別に作成された注文ファイルに記述され、メモリカードＭＣｐに格納される。プリントする際にはメモリカードＭＣｐを読み取るカードリーダをパソコンＰＣｐにつなげて画像ファイルを読み取り、所望の画像処理をしてプリンタＰＴＲｐに出力する。または、直接プリンタにメモリカードＭＣＰを差し込んで、画像ファイルを読み、プリントを行う。
【０００７】
例えば、デジタルカメラＤＣｐで図１６に示す３枚の画像Ｎｏ．１〜３を撮影したとする。画像Ｎｏ．１には、ＢとＣが、画像Ｎｏ．２にはＡとＢとＤが、画像Ｎｏ．３にはＡとＢが写っている。デジタルカメラＤＣｐの所有者であるＡは、自分を含めたＢ，Ｃ，Ｄに対して、各自が写っている写真をプリントアウトして配布したい場合、各々の画像Ｎｏ．１〜３を順次に液晶画面に表示し、画像Ｎｏ．１は２枚、画像Ｎｏ．２は３枚、画像Ｎｏ．３は２枚というように、デジタルカメラＤＣｐ上でプリント枚数を指定する。プリント枚数等の注文情報は、画像ファイルのタグ領域と、画像ファイルとは別に作成された注文ファイルの２種類のファイルに効率よく格納される。
【０００８】
画像ファイルのタグに記述する方法を例にあげて説明を続ける。その際における画像ファイルのタグの一例を図１７に示す。図１８に、各画像の注文枚数がタグに記述され画像ファイルとして扱われた例を示す。プリンタは注文枚数が記述されたタグ情報を読込む。図１９に、図１８のタグ情報を読み取ってプリントアウトした例を示す。画像Ｎｏ．１は２枚、画像Ｎｏ．２は３枚、画像Ｎｏ．３は２枚がプリントされる。
【０００９】
【発明が解決しようとする課題】
デジタルカメラの所有者であるＡは、プリントアウトされた画像を各々に配布するために手作業により仕分けて配布する。プリントアウトされた図１９のプリント画像を各々の人に配布するため仕分けを行った例を、図２０に示す；
Ａは、自分には、画像Ｎｏ．２、画像Ｎｏ．３を、
Ｂには、画像Ｎｏ．１、画像Ｎｏ．２、画像Ｎｏ．３を、
Ｃには、画像Ｎｏ．１を、
Ｄには、画像Ｎｏ．２を、
というように、仕分けして各々に配布する。このように、従来のプリント注文機能付きデジタルカメラと画像プリントシステムにおいては、デジタルカメラの所有者が、複数の人にそれぞれ異なる複数のプリントしたデータを配布する場合には、上述したような手間と作業がかかるという問題点があった。
【００１０】
すなわち、図１９に示すように撮影区分，画像（画像Ｎｏ．）区分などの画像ファイル区分のプリントアウト画像を、図２０に示すように、配布先（Ａ〜Ｄ）区分，需要区分，用途区分などの、ユーザの分類区分に仕分けする手数がかかる。
【００１１】
本発明は、電子情報記録手段上の画像ファイルの、ユーザの分類区分での利用を容易にすることを目的とする。
【００１２】
【課題を解決するための手段】
（１）１つの画像ファイルに一枚の画像を表す画像データを記録する電子情報記録手段の１以上の画像ファイルのそれぞれに宛てた、それぞれが１組以上のプリント指示情報を含む各プリント指示情報セットを併記した１次注文ファイルを生成する手段；および、
１次注文ファイルのプリント指示情報セットの中の各組のプリント指示情報をそれが宛てられる画像ファイル識別情報と共に組別区分にした２次注文ファイルを生成する手段；
を備える画像情報処理装置(デジカメ／パソコン／プリンタコントローラ)。
【００１３】
なお、理解を容易にするために、括弧内には、図面に示し後述する実施例の対応要素，相当箇所又は相当事項の記号又は符号を、参考までに付記した。以下も同様である。
【００１４】
これによれば、２次注文ファイルに基づいて組別区分ごとにプリントアウトして図２０に示すような配布先（Ａ〜Ｄ）区分に仕分けたプリントを容易に得ることができる。また、１次注文ファイルをプリントオーダーとして用いることができる。すなわち、直接に或いはパソコン（ＰＣ）又はプリンタコントローラ（ＡＣＰ）或いはＤＰ店を介して、プリンタ（１００）に画像ファイルを送ってプリントアウトできる。
【００１５】
【発明の実施の形態】
（２）上記（１）に記載の１次又は２次注文ファイルの指示情報に基づいて、前記画像ファイルの画像形成をする画像形成手段(100)、を備える画像形成装置(図４)。
【００１６】
これによれば、例えば図１９に示すように撮影区分，画像（画像Ｎｏ．）区分などの画像ファイル区分のプリントアウトを指示する注文ファイルに基づいて、図２０に示すような配布先（Ａ〜Ｄ）区分への仕分けをしたプリントアウトが順次（時系列でシリアル）に得られる。プリントアウトスタックを組区分に従って分割すれば、図２０に示すような配布先（Ａ〜Ｄ）並列区分になり、組区分の仕分けが容易になる。
【００１７】
（３）１つの画像ファイルに一枚の画像を表す画像データを記録する電子情報記録手段の１以上の画像ファイルのそれぞれに宛てた、それぞれが１組以上のプリント指示情報を含む各プリント指示情報セットを併記した１次注文ファイルを生成する手段を備える画像情報処理装置の、該１次注文ファイルのプリント指示情報セットの中の各組のプリント指示情報をそれが宛てられる画像ファイル識別情報と共に組別区分にした２次注文ファイルを生成する手段(ACP)を備える画像形成装置(図４)。
【００１８】
（４）前記画像形成装置は、プリントアウトシートを区分けする手段(36)、および、プリント指示情報セットの各組のプリント指示情報に各区分けを割り当てて該区分け手段を用いてプリントアウトシートを区分け送出する制御手段(ACP,100)、を備える上記（２）又は（３）に記載の画像形成装置。
【００１９】
これによれば、複数の画像ファイルがある場合には、プリントアウトの段階で、各画像ファイルの各組のプリント指示情報に基づいたプリントアウトが、自動的にプリント指示情報の組毎に区分して集積され、ユーザ分類（組区分）で分別されたプリント群が得られる。ユーザ分類（組区分）に従う分別に人手がいらず、便利である。
【００２０】
（５）ソータ(36)が接続されているときには、１次注文ファイルの画像ファイル識別情報の配列順に、画像ファイル毎にプリントアウトし（図１４の８３）、ソータ(36)が無いときには、２次注文ファイルのプリント指示情報の組順にプリントアウトする（図１４の８１，８２ａ，８３，８４）、上記（２）又は（３）に記載の画像形成装置。
【００２１】
（６）２次注文ファイルが無いときには、１次注文ファイルに基づいて２次注文ファイルを生成する（図１４の８２ａ，８２ｂ）上記（５）に記載の画像形成装置。
【００２２】
（７）更にカラースキャナ（10）を備える上記（２）〜（６）のいずれか１つに記載の画像形成装置。
【００２３】
（８）所定方向に配列された複数の作像担持体(11M,C,Y,K)と、それぞれが各作像担持体にトナー像を形成する複数の現像手段(20M,C,Y,K)と、各作像担持体上のトナー像の転写を受けるための被転写体(P,60)を前記作像担持体の配列に沿って駆動する手段(61〜64)と、被転写体に各作像担持体上のトナー像を転写する各転写手段(67M,C,Y,K；9M,C,Y,K)を有する；上記（２）〜（６）のいずれか１つに記載の画像形成装置。
【００２４】
（９）カラースキャナ（ＳＣＲ）が発生するカラー画像データをプリンタ（１００）の画像形成用の画像データに変換する画像処理手段（IPP）を含む；上記（７）の画像形成装置。
【００２５】
（１０）画像データを転送するパラレルバス(Pb)，画像メモリ(MEM)，前記パラレルバス上の画像データを前記画像メモリに書き込み、前記画像メモリの画像データを前記パラレルバスに読出す画像メモリ制御手段(IMAC)、および、前記カラースキャナ(10)，画像処理手段(IPP)およびパラレルバスの間の画像データのやり取りを制御する画像データ制御手段(CDIC)、を含む；上記（９）の画像形成装置。
【００２６】
例えば、画像データ制御手段(CDIC)によって、画像処理手段(IPP)が処理したカラースキャナ(10)の出力画像データをパラレルバス(Pb)に送出し、画像メモリ制御手段(IMAC)によってパラレルバス(Pb)の画像データを画像メモリ(MEM)に書込むことができる。そして、画像メモリ制御手段(IMAC)によって画像メモリ(MEM)の画像データをパラレルバス(Pb)に読み出し、画像データ制御手段(CDIC)によってパラレルバス(Pb)のＲＧＢ画像データを画像処理装置(IPP)に与えてその出力であるプリント出力用画像データをプリンタ(100)に与えて、プリントアウトできる。したがって、画像メモリに画像データの蓄積，格納ができる。また、画像メモリ(MEM)に対する読み書きを利用して、画像編集を行うことができる。
【００２７】
本発明の他の目的および特徴は、図面を参照した以下の実施例の説明より明らかになろう。
【００２８】
【実施例】
−第１実施例−
図１に、第１実施例のプリント注文機能付きデジタルカメラＤＣａとデジタルプリントシステムを用いる画像処理フローを示す。液晶モニタを備えたデジタルカメラＤＣａで撮影した画像データを液晶モニタの画面に表示し、操作パネルのボタンなどによりユーザ別にプリント注文情報を入力する。ユーザ別にプリントしたい画像データ、プリントサイズ、プリント枚数などが記述されたプリント注文情報は、画像データのタグに記述されるか、または画像データとは別に作成された注文ファイルに記述され、デジタルカメラＤＣａに着脱自在のメモリカードＭＣａに格納される。プリントする際にはメモリカードＭＣａを読み取るカードリーダをパソコンＰＣａにつないで画像ファイルを読み取り、所望の画像処理をしてプリンタＰＴＲａに出力する。または、直接プリンタＰＴＲａにメモリカードＭＣａを差し込んで、画像ファイルを読み、プリントを行う。プリントは、プリント注文情報に記述されたユーザ別に行う。
【００２９】
ユーザ別にプリント注文情報を入力する方法について説明すると、あるメンバーで旅行に行くなど、被写体が予めわかっている場合、撮影する前にメンバーを登録しておく。例えば、デジタルカメラの所有者であるＡは、Ｂ、Ｃ、Ｄと旅行に行く際、前もって自分とＢ、Ｃ、Ｄの名前をデジタルカメラＤＣに登録しておく。そして撮影直後の画像をモニタに再生表示し、その再生画像を見て、その画像のプリントが欲しい人を指定する。
【００３０】
そして第１態様では、例えば図１６の画像１を撮影して、撮影直後に画像をモニタ表示してＢとＣが写っているので、画像１では、ＢとＣを指定する。次に図１６の画像２を撮影して、撮影直後に画像をモニタ表示してＡとＢとＤが写っているので、画像２では、ＡとＢとＤを指定する。次に図１６の画像３を撮影して、撮影直後に画像をモニタ表示してＡとＢが写っているので、画像３は、ＡとＢを指定する。
【００３１】
次に、すべての撮影を終了した後に、ユーザ毎にプリントして配布したい画像を再生モードで表示し選択する、第２態様を説明する：
Ａは、画像２、画像３を選択する；
Ｂは、画像１、画像２、画像３を選択する；
Ｃは、画像１を選択する；
Ｄは、画像２を選択する。
【００３２】
この例では画像データに写っている人に対して一枚ずつプリントするという前提で説明を行ったが、もちろん自分が写っていても不必要の場合は選択しなくてもよいし、プリント枚数も１枚ではなく複数枚選択できる。
【００３３】
プリント指示情報は画像データのタグに記述するか、または画像データとは別に作成された注文ファイルに記述する。上記第１態様の場合にはタグに記述するように、上記第２態様の場合には別にファイルに記述するようにしてもよい。
【００３４】
図２の（ａ）に、画像ファイルにタグ領域を形成する場合のタグ情報の構成例を示し、図２の（ｂ）に、上述の画像１〜３の画像ファイルＮｏ．１〜３のそれぞれに書込むタグ情報の例を示す。
【００３５】
図３の（ａ）には、注文ファイルのフォーマット例を示し、図３の（ｂ）に上述の画像１〜３の注文ファイルに書込む注文情報の例を示す。
【００３６】
プリントする際には、メモリカードＭＣａを読み取るカードリーダをパソコンＰＣａにつなげる。ＰＣａは、ユーザ別プリント指示情報と画像データを読み取り、プリント指示に従って所望の画像処理をしてプリンタＰＴＲａにユーザ別にプリントアウトするように指示を行う。プリンタはその指示を受けてユーザ別にプリントする。または、直接プリンタＰＴＲａにメモリカードＭＣａを差し込む。プリンタＰＴＲａはメモリカードＭＣａから、ユーザ別プリント指示情報と画像ファイルを読み込み、所望の画像処理をしてユーザ別にプリントする。
【００３７】
プリントされた画像紙（写真）は図２０の区分と同じである。Ａ用のプリント画像、Ｂ用のプリント画像、Ｃ用のプリント画像、Ｄ用のプリント画像、というようにユーザ別にプリントされる。また、プリントする際にＢだけをプリントするように指示をすると、Ｂだけの画像データをプリントすることもできる。
【００３８】
ユーザ別プリント指示情報を持つデジタルカメラＤＣａとデジタルプリントシステムによって、従来ではデジタルカメラＤＣａの所有者であるＡが行っていた手作業による、図１９の区分を図２０の区分に仕分ける処理を自動化でき、手間と作業を省くことができる。またユーザ別プリント指示情報を持つことによって、ユーザ別に好みのプリント仕上げを簡単に操作することができる。
【００３９】
−第２実施例−
図４に、第２実施例の外観を示す。図４は、複合機能フルカラーデジタル複写機にパソコンＰＣを接続し、該パソコンＰＣにデジタルカメラＤＣを接続したプリントシステムを示す。このフルカラー複写機は、大略で、自動原稿送り装置（ＡＤＦ）３０と、操作ボード２０と、カラースキャナ１０と、カラープリンタ１００と、ステープラ及び作像された用紙を積載可能なトレイ付きのフィニッシャ３４と、両面ドライブユニット３３と、給紙バンク３５及び大容量給紙トレイ３６、の各ユニットで構成されている。機内のプリンタコントローラＡＣＰ（図８）には、パソコンＰＣが接続したＬＡＮ（Local Area Network）が接続されており、ファクシミリコントロールユニットＦＣＵ（図８）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００４０】
パソコンＰＣは複写機（のプリンタコントローラＡＣＰ：図８）に対して接続／分離が可能であり、デジタルカメラＤＣは、パソコンＰＣおよび複写機（プリンタコントローラＡＣＰ）に対して接続／分離が可能である。また、自動原稿供給装置ＡＤＦ，カラー原稿スキャナ１０，プリンタコントローラＡＣＰ（図８），フィニッシャ３６および大容量給紙トレイ３６は、プリンタ１００に対して接続／分離が可能である。
【００４１】
なお、以下においては、デジタルカメラをデジカメということもある。
【００４２】
図５の（ａ）にデジカメＤＣの本体正面および上面の外観を示し、図５の（ｂ）には本体正面および下面の外観を示す。図５の（ａ）に示すＰＩＣボタン４６は、画質モード選択ボタンであり、これをユーザが押すことによって、ｄｐｉと圧縮モードとの組合せ（の指定）を切り替えることができる。ボタン４７は、フラッシュモード選択ボタン（キー）である。ＣＡＲＤ／ＩＮボタン４９は、画像ファイルの読書きメモリ（メディア）を、内蔵メモリ（ＳＤＲＡＭ）とするか、カードスロット８１に挿入して接続されたメモリカード（コンパクトフラッシュメモリであるＣＦカード）とするかを選択（切り替え指定）するボタンである。ボタン５０は、至近距離撮影（マクロ撮影）を選択するボタンである。
【００４３】
図５の（ｂ）に示すＵＳＢ端子５９は、ＵＳＢ（Universal Serial Bus ）ケーブルを接続してシリアル通信する端子であり、デジカメ本体内に、該ＵＳＢ端子５９に接続した送受信ユニットがあり、デジカメＤＣは、ＵＳＢ通信により、後述するパソコンＰＣあるいはプリンタコントローラＡＣＰとデータのやり取りを行う。
【００４４】
図６には、液晶モニタ５１を使用位置に立てた状態を示す。液晶モニタ５１を立てると、デジカメ本体に操作パネル６４が現れる。操作パネル６４には、感圧スイッチでなる各種入力キー６５〜７５がある。モードダイアル６３は、デジカメＤＣの使用モードを指定するものであり、このダイアル６３の、電源スイッチ６２の周りの端面には、次の表１に示すマークがあり、このマークを３角形の指標にあわすと、表１に示すモード（モード名）を指定できる。
【００４５】
【表１】
0003841702.tif 000002
【００４６】
図７に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向）に沿ってこの順に配置されている。即ち、４連ドラム方式のフルカラー画像形成装置である。
【００４７】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸に平行になるように、且つ、転写紙移動方向（ｙ，ｚ平面上でｙ軸に対して４５°をなす左上がり線）に所定ピッチの配列となるように、設定されている。
【００４８】
また、レーザプリンタ１００は、上記トナー像形成ユニットのほか、レーザ走査による光書込ユニット１０２、給紙カセット１０３，１０４、レジストローラ対１０５、転写紙を担持して各トナー像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナー補給容器、廃トナーボトル、なども備えている。
【００４９】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図７上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナー像形成部の転写位置を通過するように搬送される。
【００５０】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００５１】
イエローＹのトナー像形成ユニットの概要を次に説明する。他のトナー像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００５２】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００５３】
現像ユニット１２０Ｙは、磁性キャリア及びマイナス帯電のトナーを含む二成分現像剤を収納している。そして、現像ケース１２０Ｙの感光体ドラム側の開口から一部露出するように配設された現像ローラや、搬送スクリュウ、ドクタブレード、トナー濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナー濃度センサで検知される。濃度不足の時には、粉体ポンプが駆動されてトナーが補給される。
【００５４】
転写ベルトユニット１０６の転写搬送ベルト１６０は、各トナー像形成部の感光体ドラム１１１Ｍ，１１１Ｃ，１１１Ｙおよび１１１Ｋに接触対向する各転写位置を通過するように、４つの接地された張架ローラに掛け回されている。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナー等の異物が除去される。
【００５５】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００５６】
図８に、図４に示す複写機の画像処理系統のシステム構成を示す。このシステムでは、読取ユニット１１と画像データ出力Ｉ／Ｆ(Interface：インターフェース)１２でなるカラー原稿スキャナ１２が、プリンタコントローラＡＣＰの画像データインターフェース制御ＣＤＩＣ（以下単にＣＤＩＣと表記）に接続されている。プリンタコントローラＡＣＰにはまた、カラープリンタ１００が接続されている。カラープリンタ１００は、プリンタコントローラＡＣＰの画像データ処理器ＩＰＰ（Image Processing Processor；以下では単にＩＰＰと記述）から、書込みＩ／Ｆ１３４に記録画像データを受けて、作像ユニット１３５でプリントアウトする。作像ユニット１３５は、図７に示すものである。
【００５７】
プリンタコントローラＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），システムコントローラ１，ＲＡＭ４，不揮発メモリ５，操作ボード２０，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。
【００５８】
原稿を光学的に読み取る読取ユニット１１は、原稿に対するランプ照射の反射光をＣＣＤで光電変換してＲ，Ｇ，Ｂ画像データを生成し、出力Ｉ／Ｆ１２でＲＧＢ画像データに変換しかつシェーディング補正してＣＤＩＣに送出する。
【００５９】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１のブートプログラム等を記憶している。
【００６０】
ＩＰＰは画像処理をおこなうプログラマブルな演算処理手段である。出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。
【００６１】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１のブートプログラム等を記憶している。
【００６２】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。なお、ＦＣＵの内容については後述する。
【００６３】
読取ユニット１１より読み取った画像データの処理には、読み取り画像データをＭＥＭに蓄積して再利用するジョブと、ＭＥＭに蓄積しないジョブとがあり、それぞれの場合について説明する。読み取り画像データをＭＥＭに蓄積する例としては、１枚の原稿について複数枚を複写する場合があり、この場合には、読取ユニット１１を１回だけ動作させ、読取ユニット１１により読み取った画像データをＭＥＭに蓄積し、ＭＥＭに蓄積された画像データを複数回読み出す。
【００６４】
ＭＥＭを使わない例としては、１枚の原稿を１枚だけ複写する場合があり、この場合には、読み取り画像データをそのまま再生すればよいので、ＩＭＡＣによるＭＥＭへのアクセスをおこなう必要はない。ＭＥＭを使わない場合には、ＩＰＰからＣＤＩＣへ転送されたデータは、再度、ＣＤＩＣからＩＰＰへ戻される。ＩＰＰにおいては、出力Ｉ／Ｆ１２におけるＣＣＤによるＲＧＢ信号をＹＭＣＫ信号に色変換し、プリンタγ変換，階調変換，および、ディザ処理もしくは誤差拡散処理などの階調処理などの画質処理をおこなう。
【００６５】
画質処理後の画像データはＩＰＰから書込みＩ／Ｆ１３４に転送される。書込みＩ／Ｆ１３４は、階調処理された信号に対し、パルス幅とパワー変調によりレーザ制御をおこなう。その後、画像データは作像ユニット１３５へ送られ、作像ユニット１３５が転写紙上に再生画像を形成する。
【００６６】
つぎに、ＭＥＭに蓄積し、画像読み出し時に付加的な処理、たとえば画像方向の回転、画像の合成等をおこなう場合の画像データの流れについて説明する。ＩＰＰからＣＤＩＣへ転送された画像データは、ＣＤＩＣからパラレルバスＰｂを経由してＩＭＡＣに送られる。
【００６７】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００６８】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００６９】
画像データの流れにおいて、パラレルバスＰｂおよびＣＤＩＣでのバス制御により、ディジタル複合機の機能を実現する。
【００７０】
ファクシミリ送信は、読み取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００７１】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００７２】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ・インターフェースのためのデータフォーマット変換をおこなうことにより、システムコントローラ１とプロセスコントローラ１３１間の通信を行う。
【００７３】
フィニッシャ（ソータ）３６はシリアルバスＳｂに接続されており、プロセスコントローラ１３１から排紙処理コマンドを受けて、指定されたソートビン（仕分け棚）にプリント紙（プリント画像）を排出する。
【００７４】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００７５】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ  ７、パラレルバスＰｂを経由して送られる。
【００７６】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭに格納されることになる。
【００７７】
一方、ＡＣＰのシステムコントローラ１は、ＰＣからのプリンタ機能としての呼び出しの場合、プリンタ・コントローラとネットワーク制御およびシリアルバス制御として機能する。ネットワーク経由の場合、ＩＭＡＣはネットワークＩ／Ｆ  ８を介してプリント出力要求データを受け取る。
【００７８】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ(Universal Serial Bus)、1284または1394等の規格のインターフェースに対応する。
【００７９】
プリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００８０】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００８１】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００８２】
図５，図６に示すデジカメの本体内には、各種の制御及び処理を行うＣＰＵ，ＳＤＲＡＭ，ＲＯＭ，カメラ本体に設置されたボタン等の各種入力Ｉ／Ｆ，また、プリンタ等の外部機器やインターネット等の電気通信回線と有線又は無線接続するための外部Ｉ／Ｆ，バス等のコントロールシステム要素がある。また、デジカメＤＣには、レンズ４０，絞り，シャッターボタン４５，５３，撮像素子であるＣＣＤ，画像処理回路等の撮影要素があり、ＣＣＤおよび画像処理回路の画像データ読み取り処理のタイミング制御回路、ならびに、フォーカス，ズーム，アイリス，シャッタースピード等を制御するためにレンズ，絞り，シャッターを駆動するモータ駆動回路を備えている。
【００８３】
デジカメＤＣの上記ＲＯＭは、上記ＣＰＵの制御およびデータ処理プログラムの格納領域として利用されており、「プリント指示情報セット」の生成と画像ファイル又は注文ファイルへの記録を実行するための、プリント指示プログラムも格納されている。ＳＤＲＡＭは、画像ファイルを蓄積する内蔵メモリとして利用され、また、ＲＯＭから読み出したプログラムの一時メモリとして利用され、プリント指示情報の生成と画像ファイル又は注文ファイルへの記録が指定されたときには、そのプログラムがＲＯＭから読み出されてＳＤＲＡＭに書き込まれる。ＣＰＵはＳＤＲＡＭのプログラムに従って動作する。
【００８４】
図９に、デジカメＤＣの、撮影時のユーザの操作フローを示す。ユーザの操作に応答してデジカメＤＣの上記ＣＰＵが制御プログラム，データ処理プログラム或いはプリント指示プログラムを特定して対応動作のためのプログラムデータをＲＯＭからＳＤＲＡＭに読み出して、それに基づいて制御又は処理動作をする。図９に示す「メディアを選択」３（選択ボタン４９の押下）をすると、ＣＰＵは、画像書込み，読出しの対象を、内蔵メモリから、スロット８１に挿入されたＣＦカードに、或いはその逆に切り替える。例えば、内蔵メモリ（ＳＤＲＡＭ）を選択（設定）しているときに選択ボタン４９がオンすると、ＣＦカードに定める。ＣＦカードに定めているときに選択ボタン４９がオンすると、内蔵メモリに定める。
【００８５】
「フォルダの選択」４では、ユーザは、操作パネル６４のＦＯＬＤＥＲボタン６５を押し、液晶モニター５１にフォルダリストを表示してから、アップ／ダウンシフトキー６６／６７で指定カーソル（フォルダの明暗表示）を所望フォルダ名に置いてＥＮＴＥＲボタン７５を押す。フォルダは、メディア上に設定されるメモリ領域区分であり、画像の蓄積に用いるフォルダは、言わばフィルム写真機のフィルムに対応する。
【００８６】
撮影すると、デジカメＤＣのＣＰＵは、図１０に示す「撮影時プリント設定」ＰＤｄｃに進む。この段階でユーザは、「プリント指示情報を設定する」（９）ことができる。
【００８７】
図１０を参照すると、この「撮影時プリント設定」ＰＤｄｃにおいてＣＰＵは、撮影画面を液晶モニタ５１に、一定時間の間表示する。すなわち、ＣＰＵは撮影画像を液晶モニタ５１に表示し（ステップ１１）、設定時限値のタイマをスタートして（ステップ１２）、該タイマがタイムオーバするのを待つ（ステップ１３）。なお、以下においては、括弧内には、ステップという語を省略してステップ番号のみを記す。上記設定時限値は、ユーザが設定値を調整できる。
【００８８】
タイマがタイムオーバするとＣＰＵは、指定されているメディア（内蔵メモリ／ＣＦカード）上の指定されているフォルダの、すでに記録している画像ファイルのデータ記憶領域の次に、画像ファイルを設定して、その画像データ書込み領域に撮影画面の画像データを書込む（１６）。そして液晶モニタ５１の表示を、レンズ４０の前方のシーンの画像に切り替える（１７）。この切り替えは、次の撮影の準備ができたことを意味する。ユーザは、ここで図９の「撮影モードを選択」２〜「撮影する」８の何れにも進むことができる。また、電源スイッチ６２をオフにしても良い。
【００８９】
ところで、撮影画面を表示しているときにメニューボタン７５がオンすると、すなわちユーザがＭＥＮＵボタン７５を押すと、これは図９に示す「プリント指示情報を設定する」９の指定である。するとデジカメＤＣのＣＰＵは、図１０を参照すると、「プリント設定」の入力画面を、撮影画面に重ねて、液晶モニタ５１に表示する（１５）。この「プリント設定」１５の入力画面は、タグ情報の領域を表示して入力を促すものであり、先頭に画像ファイル名（識別情報）があるが、これは指定フォルダ上の、今回の撮影画面を書込む画像ファイルのＮｏ．（識別情報）であり、ユーザは入力不要である。その次に、第１組のプリント指示情報（プリントサイズ，回転，オプション処理およびプリント枚数）の入力欄がある。
【００９０】
ユーザが操作パネル６４の入力ボタンを操作して第１組のプリント指示情報を入力して、ＦＵＮＣＴＩＯＮボタン７２を押すと、ＣＰＵは第２組のプリント指示情報の入力欄を表示する。ユーザはそこに第２組のプリント指示情報を入力することができる。そしてＦＵＮＣＴＩＯＮボタン７２を押す毎に次の組のプリント指示情報を入力できる。ユーザがＥＮＴＥＲボタン７５を押すと、ＣＰＵは、入力があった全プリント指示情報を入力順に配列したプリント指示情報セットを、先頭に画像ファイル名を置いて、今回の撮影画面宛てのタグ情報に定める（１５）。そしてタイマーがタイムオーバすると、指定しているフォルダ上の、すでに記録している画像ファイルのデータ記憶領域の次に、今回撮影画像用の画像ファイルを設定して、そのタグ領域には今回の画像ファイルＮｏ．と上記プリント指示情報セットを書込み、画像データ書込み領域には撮影画面の画像データを書込む（１３−１６）。そして液晶モニタ５１の表示を、レンズ４０の前方のシーンの画像に切り替える（１７）。
【００９１】
この「撮影時プリント設定」ＰＤｄｃ（図１０）を使用することにより、ユーザは、１コマの撮影直後に、そこに写った数人のそれぞれ（各組：たとえば図１６のＡ〜Ｄの各人）あてのプリント指定情報を設定できる。
【００９２】
デジカメＤＣには更に、撮影前あるいは撮影後の処理機能の１つとして、「注文ファイルの生成」ＰＯｄｃがある。その内容を図１１に示す。
【００９３】
図１１を参照すると、ユーザはモードダイヤル６３を「再生モード」（表１参照）に設定して、フォルダを選択する（２１）。ユーザのフォルダ選択に応答してデジカメＤＣのＣＰＵは、フォルダ処理メニューを液晶モニタ５１に表示する。メニューの中の「注文ファイル」をユーザが指定すると、ＣＰＵは、選択されているフォルダ宛ての１次注文ファイルの先頭を液晶モニタ５１に表示する。ユーザはアップ／ダウンボタン６６，６７を用いて１次注文ファイルをスクロールしてその先頭から尾端までの情報を確認できる。選択したフォルダの「注文ファイル」指定が始めてであると、ＣＰＵはフォルダ名称対応の注文ファイル名称を付した１次注文ファイル（その他の注文情報は空欄）を液晶モニタ５１に表示すると共に、選択されているフォルダに該１次注文ファイルを登録する。選択したフォルダの「１次注文ファイル」が該フォルダにあるときにはＣＰＵはそれを液晶モニタ５１に表示する。以上が「１次注文ファイルの指定」（２２）の内容である。
【００９４】
ユーザがメニューボタン７５を押すと、ＣＰＵは選択されているフォルダの画像ファイルＮｏ．１の画像と「プリント設定」の入力画面を、撮影画面に重ねて、液晶モニタ５１に表示する。この「プリント設定」の入力画面は、先に説明した「プリント設定」（図１０の１５）のものと同じである。ユーザは、アップ／ダウンボタン６６，６７を操作して液晶モニタ５１に表示する画像ファイルを切換え（選択）できる。このとき、選択された画像ファイルに画像データがあればそれが表す画像を液晶モニタ５１に表示する（２５）が、画像データが存在しないときには、画面枠のみを表示する。同様に、タグ領域情報が存在すればタグ領域情報が入った「プリント設定」の入力画面を液晶モニタ５１に画像と重ねて表示する（２５）が、タグ領域情報が無いと、未入力の「プリント設定」入力画面を重ねて表示する。
【００９５】
いずれにしても、ここでユーザは、現在選択中の画像ファイルに対して、「プリント設定」（２６）により、プリント指示情報セットに対する各組のプリント指示情報の新規人力または変更（訂正），加入，或いは削除を行うことができる。「プリント設定」の入力画面を液晶モニタ５１に表示しているときにＥＮＴＥＲボタン７５が押されるとＣＰＵは、「プリント設定」の表示中のプリント指示情報セットを指定中の画像ファイルに記録し、しかも１次注文ファイル上の指定中の画像ファイル宛ての注文書込み領域に、表示中のプリント指示情報セットを書込む（２７）。そして選択されているフォルダ上の次の画像ファイルの画像と「プリント設定」入力画面を液晶モニタ５１に更新表示する（２８〜３０−２３〜２５）。このようにして選択されたフォルダ上の各画像ファイルに対するプリント指示情報セットの設定および注文ファイルへの書込みを行う。
【００９６】
ユーザが注文ファイル生成画面上の２次ファイル作成ボタンを入力操作すると（２８）、ＣＰＵは、１次注文ファイルのプリント指示情報セット内のプリント指示情報の全てを、各組の区分に再編集した２次注文ファイルを生成する（２９）。すなわち、１次注文ファイル上に画像ファイルＮｏ．区分で存在する各組のプリント指示情報を、それが対象とする画象Ｎｏ．（画像ファイルＮｏ．）を付加して、組区分にまとめた、たとえば図３に示す内容の２次注文ファイルを生成する。
【００９７】
ユーザがキャンセルボタン７０を押すと（３０）、これは選択しているフォルダに関する注文ファイル作成の終了を指示する。ＣＰＵは、ここまでに形成した内容の１次注文ファイルおよび２次注文ファイル（あれば）を、選択中のフォルダに更新書込みして、液晶モニタ５１の表示をフォルダ選択画面に戻す。
【００９８】
図４に示すパソコンＰＣには、デジカメＤＣの上述のプリント設定機能および注文ファイル生成機能、ならびに、画像編集機能およびプリント指示情報に従ってプリンタ１００で画像をプリントアウトする機能を含むデジカメアプリケーションソフト（プログラム）がインストールされている。このソフトに基づいたパソコンＰＣの画像処理の概要を図１２に示す。
【００９９】
図１２を参照する。ユーザがＵＳＢケーブルを用いてデジカメＤＣをパソコンＰＣに接続して、パソコンＰＣのデジカメアプリケーションソフトを起動（アイコンをダブルクリック）すると（３１）、パソコンＰＣは該ソフトに従って、デジカメＤＣと通信してその内蔵メモリとＣＦカードを選択するための画像（メディア選択画面）を、パソコンに接続したディスプレイに表示する。ユーザは、処理対象のフォルダがあるほうのメディアを選択する（３２）。ここではＣＦカードを選択したとする。これに応答してパソコンＰＣはデジカメＤＣのＣＦカード上のフォルダリストをデジカメＤＣから入手してディスプレイに表示する。ユーザがここで１つのフォルダを選択する（３３）。これに応答してパソコンＰＣは、デジカメＤＣと通信して、デジカメＤＣから、選択されたフォルダのデータを受信してパソコンＰＣの内部メモリに書込み、該フォルダにある画像ファイルの各画像をサムネイル表示する（３３）。そしてパソコンＰＣは、「フォルダ印刷」，「注文ファイル作成」および「画像処理」のいずれかを選択するためのメニューを並行表示し、ここでユーザが希望のものを指定する。
【０１００】
ここでユーザが「画像処理」を指定すると、パソコンＰＣは、サムネイル表示画像群の中の画像ファイルＮｏ．１を指定表示（画像枠の輝度変化）とする。ここでユーザは、マウス又はキーボード入力で、他の画像ファイルＮｏ．に指定表示を切り替えることができる。ユーザがキーボードのエンターキーを押すと、パソコンＰＣは、指定表示している画像を中央に大きく表示する編集画面をディスプレイに表示する（３６，３７）。
【０１０１】
ここで編集画面上のタスクバー上の「プリント設定」をユーザがクリックすると、パソコンＰＣは、表示中の画像と並べて「プリント設定」の入力画面を表示する（３８，３９）。この「プリント設定」の入力画面は、先に説明した「プリント設定」（図１０の１５）のものと同様であるが、タグ領域情報が存在すればタグ領域情報が入った「プリント設定」の入力画面を表示する。いずれにしても、ここでユーザは、現在表示中の画像の画像ファイルに対して、「プリント設定」（３９）により、プリント指示情報セットに対する各組のプリント指示情報の新規人力，変更（訂正），加入，削除を行うことができる。キーボードのエンターキー入力があるとパソコンは、「プリント設定」のプリント指示情報セットを表示中の画像の画像ファイルのタグ領域に更新書き込みする。
【０１０２】
編集画面上のタスクバー上の「印刷」をユーザがクリックすると（４０）、パソコンＰＣは、表示中の画像の画像ファイルのデータをプリンタコントローラＡＣＰに送信してプリントアウトを指示する（４１）。プリンタコントローラＡＣＰは、後述の図１４の（ａ）に示す印刷制御で、プリンタ１００を使用して画像をプリントアウトする（４２）。
【０１０３】
編集画面上のタスクバー上の「編集」をユーザがクリックすると（４３）、パソコンＰＣは、編集の内容リストをポップアップ表示する。編集の内容の代表的なものは、左９０度回転／右９０度回転，画像サイズ設定（変更），変倍，転写紙上画像位置設定，トリミング，合成，付加情報の加入，濃度調整およびカラーバランス調整である。これらをユーザがクリックすることにより、パソコンは該当の処理に進む（４３，４４）。ユーザがエンターキーを押すと、編集結果の画像が画像ファイルに更新書き込みされる。ユーザがＥｓｃキーを操作すると、パソコンＰＣは先行の画面に戻る。
【０１０４】
前述の、「フォルダ印刷」，「注文ファイル作成」および「画像処理」のいずれかを選択するためのメニューを表示しているときに、ユーザが「注文ファイル作成」を指定すると、パソコンＰＣは、サムネイル表示画像群に並べて、そのフォルダの「１次注文ファイル」を表示する。１次注文ファイルがフォルダに無い場合には、パソコンＰＣは、フォルダ名称対応の注文ファイル名称を付した１次注文ファイル（その他の注文情報は空欄）をサムネイル表示画像群に並べて表示すると共に、フォルダに該１次注文ファイルを登録する（３５，４５ａ）。
【０１０５】
「１次注文ファイルの生成」（４５ａ）では、１次注文ファイル（入力フォーマット）上の各画像ファイル宛ての注文情報入力領域は、キーボードのシフトキーを用いて指定できる。パソコンＰＣは、指定された画像ファイルの画像を、該画像ファイル宛ての注文情報入力領域と並行してディスプレイに表示する。ユーザは、先に説明した「プリント設定」（図１０の１５）と同様にして、プリント指示情報セットを注文情報入力領域に入力する。
【０１０６】
ユーザが注文ファイルの生成画面のタスクバー上の２次ファイル生成ボタンをクリックすると、パソコンＰＣは、１次注文ファイルのプリント指示情報セット内のプリント指示情報の全てを、各組の区分に再編集した２次注文ファイルを生成する（４５ｂ）。すなわち、１次注文ファイル上に画像ファイルＮｏ．区分で存在する各組のプリント指示情報を、それが対象とする画象Ｎｏ．（画像ファイルＮｏ．）を付加して、組区分にまとめた、たとえば図３に示す内容の２次注文ファイルを生成する。
【０１０７】
ユーザがキーボードのエンターキーを押すと、パソコンＰＣは、ここまでに形成した内容の１次注文ファイルおよび２次注文ファイル（あれば）を、選択中のフォルダに更新書込みする。
【０１０８】
注文ファイルの生成画面の、タスクバー上の「印刷」をユーザがクリックすると、パソコンＰＣは、プリンタコントローラＡＣＰからソータ（フィニッシャ３６）の装備有無を受けて、ソータがあるときには、１次注文ファイルに従って、画像の印刷を、画像ファイル毎に指示する（４６−５１）。例えば、１次注文ファイル上の第１番の、画像ファイルＮｏ．１宛てのプリント指示情報に基づいて、画像ファイルＮｏ．１の画像データをプリンタコントローラＡＣＰに転送し、プリント指示情報セットを印刷条件としてプリンタコントローラＡＣＰに与える。プリンタコントローラＡＣＰは、後述の図１４の（ａ）に示すプリント処理を実行して、プリント指示情報セットに含まれる各組（ｉ）のプリント指示情報が指定する条件のプリントアウトを行う。パソコンＰＣはこのプリントアウト指令を、注文ファイルに有効な注文情報がある全画像ファイルに対して、順次に実行する（５１）。
【０１０９】
ソータが無いときには、２次注文ファイルがあれば、２次注文ファイルの組区分に従って、第１組のプリント指示情報群（画像ファイルＮｏ．１のプリント指示情報，画像ファイルＮｏ．２のプリント指示情報，画像ファイルＮｏ．３のプリント指示情報，・・・）から、それに含まれる各画像ファイルＮｏ．のプリント指示情報に従ったプリントアウトをプリンタコントローラＡＣＰに指示する。第１組のプリントアウトが完了すると第２組と、順次に切り替えてプリントアウトを指示する。ソータが無く２次注文ファイルも無いときは、パソコンＰＣは、１次注文ファイルに基づいた上述のプリントアウト指示をプリンタコントローラＡＣＰに与える。
【０１１０】
「注文ファイルの生成」（４５ａ）においてユーザが、タスクバー上の「転送」をクリックすると、パソコンＰＣは、１次注文ファイルおよび２次注文ファイル（あれば）を書込んだフォルダ（パソコンＰＣの内部メモリ上）を、パソコンＰＣのインターネット，ＷＡＮ，ＬＡＮ，イーサネット（登録商標），パソコン間などの通信機能を用いて、他に転送する（４８）。転送の代表的な１例は、インターネットを利用するＤＰ店へのフォルダの転送である。
【０１１１】
「注文ファイルの生成」（４５ａ）においてユーザが、上書（デジカメデータ更新）を指示するとパソコンＰＣは、その内部メモリのフォルダをデジカメＤＣに転送して、デジカメの該当フォルダのデータをパソコンＰＣのものに更新する（４９）。
【０１１２】
「フォルダを選択」（３３）の直後でパソコンＰＣが前述の、「フォルダ印刷」，「注文ファイル作成」および「画像処理」のいずれかを選択するためのメニューを表示しているときに、ユーザが「印刷」を指定すると（３４）、パソコンＰＣは、フォルダの１次，２次注文ファイルに有効なプリント指示情報セットがあると、それに基づいて、上述の「印刷」（５０，５１）を行う。フォルダに１次，２次注文ファイルのいずれも無い場合、ならびに、注文ファイルがあっても有効なプリント指示情報が一切存在しない場合には、パソコンＰＣは、フォルダ上に有効な画像データがあると、デフォルトのプリント条件でのプリントアウトをプリンタコントローラＡＣＰに指令する（５０）。ここで、デフォルトのプリント条件とは、デジカメアプリケーションソフトの初期設定で、ユーザが設定および変更できるものである。
【０１１３】
以上に説明した１次注文ファイルに基づくパソコンＰＣの、１つの画像ファイル毎のプリントアウト指示制御によれば、フォルダ上の各画像ファイルの画像データは、それぞれ１回だけプリンタコントローラＡＣＰに転送すればよい。しかし、２次注文ファイルに基づくパソコンＰＣの、各組のプリント指示情報と画像データをペアにしてプリンタコントローラＡＣＰに転送するプリントアウト指示制御では、各組に同一の画像ファイルが含まれると、その画像データを組数相当の回数転送することになり、画像プリントに時間がかかる。なお、フォルダの全データをプリンタコントローラＡＣＰに送ってそのメモリに保持し、プリンタコントローラＡＣＰが２次注文ファイルに基づいてプリントアウト制御する態様では、各画像ファイルの画像データの、パソコンＰＣからコントローラＡＣＰへの転送は１回となるので、画像プリントに時間がかからない。
【０１１４】
図８に示すプリンタコントローラＡＣＰも、パソコンＰＣと同様に、デジカメＤＣの上述のプリント設定機能および注文ファイル生成機能、ならびに、プリント指示情報に従ってプリンタ１００で画像をプリントアウトする機能を含むデジカメアプリケーションソフト（プログラム）がインストールされている。このソフトを使用するプリント制御の概要を図１３に示す。
【０１１５】
図１３において、プリンタコントローラＡＣＰ（以下においては単にＡＣＰと言うこともある）は、パソコンＰＣから一般的なプリントアウトコマンド（例えばワープロ文章印刷）があったときには、それに応答したプリントアウトを行う（５２ａ，５２ｂ）。パソコンＰＣから、デジカメＤＣの画像のプリントアウトのための各画像ファイル毎のプリント指令がくるときにも、それに応答したプリントアウトを行う（５２ａ，５２ｂ）が、この場合には、プリント指示情報セットが与えられるので、ＡＣＰは、後述する図１４の（ａ）に示す印刷制御を実行する。
【０１１６】
再度図１３を参照する。ユーザがＵＳＢケーブルを用いてデジカメＤＣをＡＣＰの外部シリアルポート２（図８）に接続して、デジカメＤＣの電源スイッチ６２をオンにすると、デジカメＤＣがＡＣＰにプロトコルを送信し、これに応答してＡＣＰがデジカメアプリケーションソフトを起動する（５４）。そしてＡＣＰは該ソフトに従って、デジカメＤＣと通信してその内蔵メモリとＣＦカードを選択するための画像（メディア選択画面）を、操作ボート２０（図８）の液晶パネルに表示する。ユーザは、処理対象のフォルダがある方のメディアを選択する（５５）。ここではＣＦカードを選択したとする。これに応答してＡＣＰはデジカメＤＣのＣＦカード上のフォルダリストをデジカメＤＣから入手して液晶パネルに表示する。
【０１１７】
ユーザがここで１つのフォルダを選択する（５６）。これに応答してＡＣＰは、デジカメＤＣと通信して、デジカメＤＣから、選択されたフォルダのデータを受信して内部メモリＭＥＭ（図８）に書込む（３３）。そしてＡＣＰは、フォルダに有効な１次注文ファイルがあってプリンタ１００にソータ（フィニッシャ３６）が接続されていると、１次注文ファイルに基づいたフォルダ画像ファイルの印刷（５８）を行う。この印刷（５８）の内容は図１４の（ｂ）に示し後述する。
【０１１８】
１次注文ファイルがあってもプリンタ１００にソータが接続されていない場合には、フォルダに有効な２次注文ファイルがあれば、２次注文ファイルに基づいたフォルダ画像ファイルの印刷（５８）を行う。この印刷（５８）の内容も図１４の（ｂ）に示すものである。プリンタ１００にソータの接続がなくしかもフォルダに２次注文ファイルが無い場合には、１次注文ファイルに基づいてＡＣＰが、図１４の（ｂ）に示す処理で２次注文ファイルを生成して２次注文ファイルに基づいたフォルダ画像ファイルの印刷（５８）を行う。
【０１１９】
フォルダに有効な１次注文ファイルおよび２次注文ファイルのいずれも無いとＡＣＰは、フォルダの第１番の画像ファイルＮｏ．１の画像を液晶パネルに表示する（５９，６０）。ここでユーザは、操作ボート２０のシフトキーを用いて、表示画像を他の画像ファイルＮｏ．のものに切り替えることができる。すなわち、フォルダ上の画像を選択できる（５９，６０）。ＡＣＰは、画像ファイルの画像とともに、「プリント設定」の入力画面を液晶パネルに重ね表示する。この「プリント設定」の入力画面は、先に説明した「プリント設定」（図１０の１５）のものと同様である。
【０１２０】
ユーザは、先に説明した「プリント設定」（図１０の１５）と同様にして、プリント指示情報セットを入力する（６１）。操作ボード２０の登録キーが押されるとＡＣＰは、入力画面にあるプリント指示情報セットを表示中画像の画像ファイルのタグ領域に書込む（６２，６３）。ここで、注文ファイル作成指示が入力されると或いはすでに入力されていると、ＡＣＰは、該プリント指示情報セットを１次注文ファイルに書込む（６４，６５ａ）。ユーザが１次注文ファイルの生成画面の２次ファイル生成ボタンをクリックすると、ＡＣＰは、１次注文ファイルのプリント指示情報セット内のプリント指示情報の全てを、各組の区分に再編集した２次注文ファイルを生成する（６５ｂ）。すなわち、１次注文ファイル上に画像ファイルＮｏ．区分で存在する各組のプリント指示情報を、それが対象とする画象Ｎｏ．（画像ファイルＮｏ．）を付加して、組区分にまとめた、たとえば図３に示す内容の２次注文ファイルを生成する。
【０１２１】
注文ファイルの生成に進まずに印刷指示入力があるとＡＣＰは、液晶パネルに画像を表示中の画像ファイルの画像データをプリンタ１００に与えて、プリント設定によるプリント指示情報セットに基づくプリントアウトをプリンタ１００に指示する（６６，６７）。この内容は、図１４の（ａ）に示す。注文ファイルの生成画面上の印刷ボタンをユーザがクリックしたときには、ＡＣＰは、上述の、注文ファイルに基づく「印刷」（５８）を行う。
【０１２２】
図１４の（ａ）を参照する。１画像ファイルの画像をプリント指示情報セットに基づいてプリンタ１００でプリントアウトするとき、ＡＣＰは、まずプリント指示情報セットに複数組のプリント指示情報があるかをチェックして（７１）、一組であると、そのプリント指示情報に従った印刷条件でのプリントアウトをプリンタ１００に行わせる（７５，７６）。しかし、複数組のプリント指示情報があるときには、ソータ（図４ではフィニッシャ３６）が接続されているかをチェックして（７３）、接続されていると、第１組のプリント指示情報に基づくプリント画像の排出をフィニッシャ３６の第１ビンに指定して、第１組のプリント指示情報に従った印刷条件でのプリントアウトをプリンタ１００に行わせる（７３，７４，７５，７６）。
【０１２３】
同様にして、第２組のプリント指示情報に基づくプリント画像の排出をフィニッシャ３６の第２ビンに指定して、第２組のプリント指示情報に従った印刷条件でのプリントアウトをプリンタ１００に行わせる（７７，７８−７３，７４，７５，７６）。同様にして、第３組以降の各組のプリント指示情報に基づくプリント画像は、第３ビン以降の各ビンに排出する。このような１画像ファイルの画像プリントアウトを、フォルダの各画像ファイルに対して実行することにより、例えば図２０に示すＡ〜Ｄさんのそれぞれに第１組〜第４組のプリント指示情報を宛てたとすると、Ａ〜Ｄさんのそれぞれに宛てたプリント画像が、フィニッシャ３６の第１〜４ビンのそれぞれに排出される。
【０１２４】
有効な注文ファイルがあるときに、図１３のステップ５７から５８への流れで印刷に進むと、ＡＣＰは、図１４の（ｂ）に示す「注文ファイルに基づく印刷」ＰＯＣ２を実行する。
【０１２５】
図１４の（ｂ）を参照すると、「注文ファイルに基づく印刷」ＰＯＣ２でＡＣＰはまずソータ（図４ではフィニッシャ３６）が接続されているかをチェックして（８１）、接続されていると、ＡＣＰは、１次注文ファイルに従って、画像の印刷を、画像ファイル毎に指示する（８３）。例えば、１次注文ファイル上の第１番の、画像ファイルＮｏ．１宛てのプリント指示情報セットに基づいて、画像ファイルＮｏ．１の画像を、プリンタ１００でプリントアウトする。このときのＡＣＰの印刷制御の内容は、図１４の（ａ）に示すものである。ＡＣＰはこのプリント制御を、１次注文ファイルに有効な注文情報がある全画像ファイルに対して、順次に実行する（８３）。これにより、フィニッシャ３６の最上段の第１ビン（棚）には例えば図２０に示すＡさん（第１組）用のプリント画像（２枚）が、次の第２ビンにはＢさん（第２組）用のプリント画像（３枚）が、第３ビンにはＣさん（第３組）用のプリント画像（１枚）が、そして第４ビンにはＤさん（第４組）用のプリント画像（１枚）が、それぞれ排出される。
【０１２６】
ソータ（図４ではフィニッシャ３６）が接続されていない場合には、ＡＣＰは、フォルダに２次注文ファイルがあるかをチェックして（８２ａ）、２次注文ファイルが無いと、フォルダ上の有効なプリント指示情報セット内のプリント指示情報の全てを、各組の区分に再編集した２次注文ファイルを生成する（８２ｂ）。すなわち、１次注文ファイル上に画像ファイルＮｏ．区分で存在する各組のプリント指示情報を、それが対象とする画象Ｎｏ．（画像ファイルＮｏ．）を付加して、組区分にまとめる。これにより、例えば図３に示す内容の、２次注文ファイルができる。そしてＡＣＰは、２次注文ファイルの組区分に従って、第１組のプリント指示情報群（画像ファイルＮｏ．１のプリント指示情報，画像ファイルＮｏ．２のプリント指示情報，画像ファイルＮｏ．３のプリント指示情報，・・・）から、それに含まれる各画像ファイルＮｏ．のプリント指示情報に従ったプリントを行う（８４）。第１組のプリントアウトが完了すると第２組と、順次に切り替える。これにより、例えば図２０に示すＡさん（第１組）用のプリント画像（２枚）の上にＢさん（第２組）用のプリント画像（３枚）を重ね、その上にＣさん（第３組）用のプリント画像（１枚）を重ね、そしてその上にＤさん（第４組）用のプリント画像（１枚）を重ねたプリント画像スタックが排紙トレイ１０８上に得られる。フォルダに２次注文ファイルがあった場合には、それに基づいてステップ８４のプリントアウト制御を行う。
【０１２７】
なおこの第２実施例は、デジカメＤＣをパソコンＰＣ又はプリンタコントローラＡＣＰに直接に接続する態様であるが、デジカメＤＣと、パソコンＰＣ又はプリンタコントローラＡＣＰとの間を、通信網を介して接続しても良い。パソコンＰＣとプリンタコントローラＡＣＰとの間も同様である。
【０１２８】
また、第２実施例ではデジカメＤＣをパソコンＰＣ又はプリンタコントローラＡＣＰに接続してそのフォルダの情報処理をし、画像ファイルのプリントアウトをする態様であるが、ＣＦカードをデジカメＤＣから外してパソコンＰＣ又はプリンタコントローラＡＣＰの、カードリーダ（読み書き可）に装着するようにしても良い。この場合、デジカメＤＣの内蔵メモリに記録したフォルダは、ＣＦカードに複写する。更には、カードリーダとパソコンＰＣ又はプリンタコントローラＡＣＰとの間を、通信網を介して接続しても良い。
【０１２９】
【発明の効果】
上記のように、電子情報記録手段（ＣＦカード）上の１画像ファイルに宛てて複数組のプリント指示情報を生成して、例えば該画像ファイルのタグ領域に書き込むかあるいは注文ファイルに書き込んで、プリントオーダーとして用いることができる。すなわち、伝達する手段（５９／ＣＦカード）を用いて、直接に或いはパソコン（ＰＣ）を介して、プリンタ（ＡＣＰ，１００）に画像ファイルを送ってプリントアウトできる。
【０１３０】
複数の画像ファイルがある場合には、撮影区分，画像（画像Ｎｏ．）区分などの画像ファイル区分のプリントアウト画像を、画像ファイル宛ての複数組のプリント指示情報に基づいて、配布先区分への仕分けを容易に行うことができる。
【０１３１】
また、複数の画像ファイルがある場合には、プリントアウトの段階で、各画像ファイルの各組のプリント指示情報に基づいたプリントアウトを、自動的にプリント指示情報の組毎に区分して集計すれば、ユーザ分類（組区分）で分別されたプリント群が得られるので、更に便利である。
【図面の簡単な説明】
【図１】  本発明の第１実施例のプリント注文機能付きデジタルカメラの画像プリントシステムの画像データの流れと処理を示す説明図であり、ハードウエア装置は正面の外観を示す。
【図２】  図１に示すデジタルカメラＤＣａに装着したメモリカードＭＣａに書込む画像ファイルのデータ区分を模式的に示すブロック図であり、（ａ）は画像ファイルのデータフォーマットを、（ｂ）は書込んだデータの概要を、それぞれ示す。
【図３】  図１に示すデジタルカメラＤＣａに装着したメモリカードＭＣａに書込む注文ファイルのデータ区分を模式的に示すブロック図であり、（ａ）は注文ファイルのデータフォーマットを、（ｂ）は書込んだデータの概要を、それぞれ示す。
【図４】  本発明の第２実施例のデジタルカメラＤＣ，パソコンＰＣとプリンタ１００の組み合わせを示すブロック図である。
【図５】  図４に示すデジタルカメラＤＣの外観を示す斜視図であり、（ａ）は上面，正面および右側面を示し、（ｂ）は正面，下面および右側面を示す。
【図６】  図５に示すデジタルカメラＤＣの液晶モニタ５１を使用位置に起こした、背面を示す外観斜視図および液晶モニタ５１の下方にあった操作パネル６４の拡大平面図である。
【図７】  図４に示すプリンタ１００の作像機構の概要を示す拡大縦断面図である。
【図８】  図４に示すプリンタ１００とスキャナ１０等の組み合わせでなる複合機能複写機の画像処理システムの概要を示すブロック図である。
【図９】  図４に示すデジタルカメラＤＣの、ユーザによる撮影操作の流れを示すフローチャートである。
【図１０】  図４に示すデジタルカメラＤＣの内部のＣＰＵの「撮影時プリント設定」の処理概要を示すフローチャートである。
【図１１】  図４に示すデジタルカメラＤＣの内部のＣＰＵの「注文ファイルの生成」の処理概要を示すフローチャートである。
【図１２】  図４に示すパソコンＰＣの、それにインストールされたデジカメアプリケーションソフトによる、画像ファイルに関するデータ処理およびプリントアウト指示の概要を示すフローチャートである。
【図１３】  図８に示すプリンタコントローラＡＣＰの、それにインストールされたデジカメアプリケーションソフトによる、画像ファイルに関するデータ処理およびプリントアウト制御の概要を示すフローチャートである。
【図１４】  図８に示すプリンタコントローラＡＣＰの、それにインストールされたデジカメアプリケーションソフトによる、画像ファイルの画像のプリントアウト制御の内容を示すフローチャートであり、（ａ）は、１画像ファイルのプリントアウトが指示された場合の制御を、（ｂ）は注文ファイルに基づくプリントアウト制御を示す。
【図１５】  従来のプリント注文機能付きデジタルカメラの画像プリントシステムの画像データの流れと処理を示す説明図であり、ハードウエア装置は正面の外観を示す。
【図１６】  図１５に示すデジタルカメラＤＣｐで撮影して図１５に示すプリンタＰＴＲｐでプリントアウトした画像の概要を示す平面図である。
【図１７】  図１５に示すデジタルカメラＤＣｐで形成される画像ファイルのデータ構成の概要を示すブロック図である。
【図１８】  図１５に示すデジタルカメラＤＣｐで形成した画像ファイルの書込んだデータの概要を示すブロック図である。
【図１９】  図１８に示す画像ファイルのタグ情報に基づいてプリントアウトした画像を示す平面図である。
【図２０】  図１９に示す画像を、各々の人に配布するため仕分けを行った状態を示す平面図である。
【符号の説明】
ＩＦ１〜６：画像ファイル
ＰＯ１〜５：プリントアウト画像
Ｄｃ：デジタルカメラ  ＡＤＦ：自動原稿供給装置
１０：カラー原稿スキャナ  ２０：操作ボード
９０：マザーボード        １００：カラープリンタ
ＰＣ：パソコン            ＰＢＸ：交換器
ＰＮ：通信回線            １０２：光書込みユニット
１０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト    ＡＣＰ：プリンタコントローラ
ＣＤＩＣ：画像データインターフェース制御
ＩＭＡＣ：画像メモリアクセス制御
ＩＰＰ：画像データ処理器
【図１】
0003841702.tif 000003
【図２】
0003841702.tif 000004
【図３】
0003841702.tif 000005
【図４】
0003841702.tif 000006
【図５】
0003841702.tif 000007
【図６】
0003841702.tif 000008
【図７】
0003841702.tif 000009
【図８】
0003841702.tif 000010
【図９】
0003841702.tif 000011
【図１０】
0003841702.tif 000012
【図１１】
0003841702.tif 000013
【図１２】
0003841702.tif 000014
【図１３】
0003841702.tif 000015
【図１４】
0003841702.tif 000016
【図１５】
0003841702.tif 000017
【図１６】
0003841702.tif 000018
【図１７】
0003841702.tif 000019
【図１８】
0003841702.tif 000020
【図１９】
0003841702.tif 000021
【図２０】
0003841702.tif 000022